(57)【要約】      （修正有）【課題】カット部を芯線の中心線と直角になるように傾斜を与えて被覆切断力を極大化させることで、芯線接続部を向いた芯線の進入が容易に行われるようにする無剥離電線連結コネクタ用ターミナルを提供する。【解決手段】電線連結コネクタ用ターミナルは上端部の両側に外側に下方傾斜したカット部１１が設けられた中央直立片１０と中央直立片の両側にそれぞれ一定間隔で離間して設けられ上端部に中央直立片のカット部と対称に下方傾斜したカット部が設けられた一対の外側直立片２０と中央直立片と一対の外側直立片の下段部を互いに連結する連結部３０とを含み、互いに向かい合うカット部の間に形成された空間であると共に、電線が下方に進入する通路である電線進入部４０及び電線進入部と連通されるようにその下部に位置され、被覆が切開された電線の内部の芯線が進入した後、中央直立片と外側直立片とに接続されるようにする空間である芯線接続部５０を含む。【選択図】図１
2018200862.tif 000002
【特許請求の範囲】
【請求項１】
上端部の両側に、外側に下方傾斜したカット部が設けられた中央直立片と、
前記中央直立片の両側にそれぞれ一定間隔で離間して設けられ、上端部に前記中央直立片のカット部と対称に下方傾斜したカット部が設けられた一対の外側直立片と、
前記中央直立片と一対の外側直立片の下段部を互いに連結する接続部と、を含み、
互いに向かい合う前記カット部の間に形成された空間であると共に、電線が下方に進入する通路である電線進入部、及び
前記電線進入部と連通されるようにその下部に位置され、被覆が切開された前記電線の内部の芯線が進入した後、前記中央直立片と外側直立片とに接続されるようにする空間である芯線接続部、を含む電線連結コネクタ用ターミナル。
【請求項２】
前記中央直立片には、前記芯線接続部に該当する部位が芯線の外周面を取り囲む形状で接続されるように内側に凹設された凹部が設けられたことを特徴とする請求項１に記載の電線連結コネクタ用ターミナル。
【請求項３】
前記凹部に対応する外側直立片の一側が前記凹部の方向に凸設されて、前記芯線を凹部方向に押し付けるための凸部が設けられたことを特徴とする請求項２に記載の電線連結コネクタ用ターミナル。
【請求項４】
前記凹部と凸部の傾斜部の上段と当該カット部の下段部との間には、互いに平行に直立されて前記電線の被覆が切開されると同時に、前記芯線が安定的に前記直立片の間に垂直進入できるようにする直立部がそれぞれ設けられており、前記それぞれのカット部は前記それぞれの直立部と４５度に傾斜したことを特徴とする請求項３に記載の電線連結コネクタ用ターミナル。
【請求項５】
前記凸部は前記芯線に対する押圧が最高点に至るように前記芯線の中心線と同一線上に設けられたことを特徴とする請求項３に記載の電線連結コネクタ用ターミナル。
【発明の詳細な説明】
【技術分野】
【０００１】
本発明は無剥離電線連結コネクタ用ターミナルに関するものである。
【背景技術】
【０００２】
一般的に、ある電線を分離されている一つ以上の他の電線と連結するか、または電線の先端を所定の装置等に連結する方法は、主に電線の被覆を剥ぎ取った後、露出した芯線が複数本で構成されている場合、ねじり合わせた後連結することが一般的である。
【０００３】
ここで、相異なる電線を連結する場合には、絶縁テープで電線を巻き取って他の連結部や外部物体との接触を防ぐと共に、外部からの湿気の侵入を遮断するようにしている。しかし、これらの連結作業は非常に面倒であり、手間が掛かる短所がある。
【０００４】
また、連結されている電線間の軸方向引張力に対する抵抗力も非常に低下して電線間の接続が弱くなって、軸方向に容易に分離したり離脱したりするなどの問題点を有していた。
【０００５】
これらの問題点を解決するために、先行技術では電線の被覆を剥がさず、コネクタに装着する際に、被覆の一部を切断する刃物が備えられたターミナルによって電線を互いに接続させる方案が多様に提示されている。（無剥離電線連結コネクタ）
【０００６】
一例として、従来技術の電線連結コネクタ用ターミナルを見てみると、上方の電線進入部側にカット部が設けられ、下方に芯線接続部を有し、互いに長さ方向に沿って一定間隔で離間した複数の直立片の下段部を一体型に連結する構造になっている。
【０００７】
しかし、これらの従来技術のターミナル（例えば、特許文献１）は、カット部の傾斜角が芯線の中心線と直角をなすことができないため、切断力が極大化されていない。また、芯線接続部も一字状の直立構造になっているため、芯線との接続面積が極大化されていない。更に、外側直立片の幅の広さがあまり広くないため、芯線によって外側方に押し付けられて直立片が広がって接続力を低下させる。そのため、接触抵抗が高くなるなどの問題点を有していた。
【先行技術文献】
【特許文献】
【０００８】
【特許文献１】韓国特許登録第１０−０９４３２０３号公報
【発明の概要】
【発明が解決しようとする課題】
【０００９】
本発明は前述したような問題点を解決するためになされたものであり、その目的は、カット部を芯線の中心線と直角になるように傾斜を与えて被覆切断力を極大化させることで、芯線接続部を向いた芯線の進入が容易に行われるようにする無剥離電線連結コネクタ用ターミナルを提供することにある。
【００１０】
また、本発明の他の目的は、中央直立片により芯線接続部に位置した芯線を取り囲んで接続面積を極大化させる凹部を設けて、芯線とターミナルとの間の接続状態を良好に維持させる無剥離電線連結コネクタ用ターミナルを提供することにある。
【００１１】
更に、本発明の他の目的は、凹部の対向側である外側直立片に芯線を凹部に押圧すると共に、芯線によって外部に押し付けられないように凹部の方向に凸設した凸部を設けて、芯線と凹部との間の安定した接続はもちろん、外側直立片の変形と損傷等を防ぐことができるようにする無剥離電線連結コネクタ用ターミナルを提供することにある。
【課題を解決するための手段】
【００１２】
前述の目的を達成するために、本発明に係る電線連結コネクタ用ターミナルは、上端部の両側に、外側に下方傾斜したカット部が設けられた中央直立片と、中央直立片の両側にそれぞれ一定間隔で離間して設けられ、上端部に中央直立片のカット部と対称に下方傾斜したカット部が設けられた一対の外側直立片と、中央直立片と一対の外側直立片の下段部を互いに連結する接続部と、を含み、互いに向かい合うカット部の間に形成された空間であると共に、電線が下方に進入する通路である電線進入部、及び電線進入部と連通されるようにその下部に位置され、被覆が切開された電線の内部の芯線が進入した後、中央直立片と外側直立片とに接続されるようにする空間である芯線接続部、を含むことを特徴とする。
【発明の効果】
【００１３】
本発明に係る電線連結コネクタ用ターミナルによれば、外側直立片の幅の広さがあまり広くないため、芯線によって外側方に押し付けられて直立片が広がって接続力を低下させることにより、接触抵抗が高くなるなどの問題点を解消するために、本発明においては外側方の直立片の厚さが段々増加するようにすることで、前述したような問題点を解決できる。
【図面の簡単な説明】
【００１４】
【図１】本発明の一実施形態に係る電線連結コネクタ用ターミナルを示す斜視図である。
【図２】本発明の一実施形態に係る電線連結コネクタ用ターミナルを示す正面図である。
【図３】本発明の一実施形態に係る電線連結コネクタ用ターミナルに芯線が接続された状態を示す正面図である。
【図４】本発明のターミナル１００を電線連結用コネクタ２００に適用した場合の例示的な図で、コネクタにターミナルが装着され、カバーに電線が装着された状態を示す概略斜視図である。
【図５】図４と同様に、本発明のターミナルを電線連結用コネクタに適用した場合の例示的な図で、コネクタを用いて電線をターミナルに装着する過程を示す図である。
【発明を実施するための形態】
【００１５】
以下、添付した図面に基づいて本発明を説明すると、次の通りである。
【００１６】
図１乃至図３に示すように、本発明の一実施形態に係る電線連結コネクタ用ターミナルは、中央直立片１０と、一対の外側直立片２０と、連結部３０と、を含んでいる。
【００１７】
中央直立片１０はその上端部の両側に、外側に下方傾斜した上狭下広構造のカット部１１が設けられている。
【００１８】
外側直立片２０は中央直立片１０の両側に、それぞれ一定間隔で離間して直立されており、上端部に中央直立片１０のカット部１１と対称に向かい合った状態で下方傾斜したカット部２１が設けられている。
【００１９】
また、カット部１１、２１はその上端部に、刃物を形成するために幅方向に沿って上方に行くほど狭くなる構造になっている。
【００２０】
連結部３０は中央直立片１０と一対の外側直立片２０の下段部を互いに連結する棒状になっている。
【００２１】
そして、連結部３０には互いに向かい合うカット部１１、２１の間に形成された空間であると共に、電線５が下方に進入しながら被覆が切開される通路である電線進入部４０が設けられている。
【００２２】
そして、電線進入部４０と連通されるようにその下部に位置され、被覆が切開された電線５の内部の芯線（または銅線と称する）７が進入した後、この芯線７が中央直立片１０と外側直立片２０とに接続されるようにする空間である芯線接続部５０が設けられている。
【００２３】
ここで、それぞれのカット部１１、２１の下段は電線進入部４０に進入する電線５の中心点と直角をなして電線５の外周面に与えられる切断力を極大化させる直立部１４、２４と４５度に傾斜した構造になっている。
【００２４】
そして、中央直立片１０には、芯線接続部５０に対応する部位が芯線７の外周面を取り囲む形状で接続されるように内側に凹設された凹部１２が設けられている（図３のＡ部分を参照）。
【００２５】
ここで、凹部１２には、芯線７の下段中央部である、所謂６時方向から３時方向まで円形状に凹設されて芯線７の外周面を取り囲み、３時方向を越える地点で上方に傾斜した傾斜部１３が設けられている（図３のＡ部分及びその上部を参照）。
【００２６】
このように傾斜部１３を設けることで、芯線７が傾斜部１３に沿って進入する途中、自然に凹部１２に嵌着されるようにすることができる。
【００２７】
そして、凹部１２に対応する外側直立片２０の一側には、凹部１２の方向に凸設されて芯線７を凹部１２の方向に押し付けるための凸部２２が設けられている。
【００２８】
ここで、凸部２２は芯線７に対する押圧力が最高点に至ると極大化されるように、芯線７の中心線と同一線上に設けられている。
【００２９】
そして、外側直立片２０は、この外側直立片２０の内側部上側から凸部２２まで凹部１２に向かって下方に傾斜して凸部２２の幅が下方に行くほど広くなるようにすることで、芯線７によって外側直立片２０が外側方に押し付けられることを防ぐための傾斜部２３の構造になっている（図３のＢ部分を参照）。
【００３０】
そして、凹部１２と凸部２２の傾斜部１３、２３の上段と当該カット部１１、２１の下段部との間には、互いに平行に直立されて電線５の被覆が切開されると同時に、芯線７が安定的に直立片１０、２０の間に垂直進入できるようにする直立部１４、２４がそれぞれ設けられている（図３のＣの部分を参照）。
【００３１】
ここで、傾斜部１３、２３の間隔と直立部１４、２４の間隔とは、直立片１０、２０の間に進入した芯線７が進入瞬間から芯線接続部５０に安着されるまで継続的に芯線７が両側直立片１０、２０と接続した状態を維持することで、芯線７が芯線接続部５０に達していなくても、接続が行われるように芯線７の直径と同一の大きさを有することが好ましい。
【００３２】
そして、凹部１２と凸部２２との間の下側部位には、芯線７との公差による芯線７の浮きを防ぐために、芯線７との接続が行わない空間部６０が設けられている。
【００３３】
次に、このような構成を有する本発明に係るターミナルに芯線が接続される過程を説明する。まず接続しようとする電線５を電線進入部４０から下降させる。
【００３４】
そうすると、電線５は両カット部１１、２１によって被覆が切断されると同時に、電線５の内部の芯線７は同一の直径の大きさを有した直立部１４、２４の間に垂直降下するようになる。
【００３５】
その後、同一の直径の大きさを有した傾斜部１３、２３に沿って芯線７が下降する途中、芯線接続部５０に到達すると同時に、芯線７の右下方外周面の部位が凹部１２に嵌着されながら、最終的に芯線７と直立片１０、２０との間の接続が行われるようになる。
【００３６】
このように、本発明の電線連結コネクタ用ターミナルは、カット部を芯線の中心線と直角になるように傾斜を与えて被覆切断力を極大化させることで、芯線接続部を向いた芯線の進入が容易になるようにして、結果的に芯線接続作業を効率的に行うようにし、これによって、作業能率の向上を図ることができるようになる。
【００３７】
また、中央直立片は芯線接続部に位置した芯線を取り囲んで接続面積を極大化させるようが設けられた凹部を有して、芯線とターミナルとの間の接続状態を良好に維持することで、芯線の接続状態に対する信頼性を与えることができるようになる。
【００３８】
更に、凹部の対向側である外側直立片には、芯線を凹部に押圧すると共に、芯線によって押し付けられないように凹部の方向に凸設した凸部を設けて、芯線と凹部との間の安定した接続はもちろん、外側直立片の変形及び損傷等を防ぐことができるようすることで、部品の損傷を防ぐによるコストの節減を図ることができるようになる。
【００３９】
一方、本発明のターミナル１００を電線連結用コネクタ２００に適用した例を見てみると、以下の通りである。
【００４０】
図４及び５を参照すると、コネクタ２００は本体２０１と、ターミナル１００と、ターミナル１００上に載置された電線５、６を押圧しながら、本体２０１の上方を覆い被せる一対のカバー２０３を含んでいる。ブリッジ２０４は本体２０１とカバー２０３とを互いに連結して本体２０１とカバー２０３が一体型構造になるようにし、連結した後には切り取って除去することができる。図５は一対のカバー２０３に挿入された電線５、６が互いに反対側でターミナル２０に締結される過程を詳細に示している。これによって、２本の電線５、６を剥離せず、その芯線７が電気的に互いに接続することができる。
【産業上の利用可能性】
【００４１】
以上のように、カット部を芯線の中心線と直角になるように傾斜を与えて被覆切断力を極大化させることで、芯線接続部を向いた芯線の進入が容易に行われるようにする無剥離電線連結コネクタ用ターミナルを提供する。従って、本発明の産業利用性はきわめて高いものといえる。
【符号の説明】
【００４２】
１０・・・中央直立片
２０・・・外側直立片
３０・・・連結部
４０・・・電線進入部
５０・・・芯線接続部
１００・・・ターミナル
２００・・・コネクタ
【図１】
2018200862.tif 000003
【図２】
2018200862.tif 000004
【図３】
2018200862.tif 000005
【図４】
2018200862.tif 000006
【図５】
2018200862.tif 000007
【手続補正書】
【提出日】平成30年10月2日(2018.10.2)
【手続補正１】
【補正対象書類名】特許請求の範囲
【補正対象項目名】全文
【補正方法】変更
【補正の内容】
【特許請求の範囲】
【請求項１】
上端部の両側に、外側に下方傾斜したカット部が設けられた中央直立片と、
前記中央直立片の両側にそれぞれ一定間隔で離間して設けられ、上端部に前記中央直立片のカット部と対称に下方傾斜したカット部が設けられた一対の外側直立片と、
前記中央直立片と一対の外側直立片の下段部を互いに連結する接続部と、を含み、
互いに向かい合う前記カット部の間に形成された空間であると共に、電線が下方に進入する通路である電線進入部、及び
前記電線進入部と連通されるようにその下部に位置され、被覆が切開された前記電線の内部の芯線が進入した後、前記中央直立片と外側直立片とに接続されるようにする空間であり、
前記電線進入部の中央から前記中央直立片側に傾斜した下部に位置する芯線接続部をさらに含み、
前記中央直立片のカット部と前記一対の外側直立片のカット部の下部には、互いに平行に立っており、前記電線の被覆が切開されると同時に、前記芯線が安定的に前記直立片の間から垂直進入できるように直立部が前記中央直立片と前記一対の外側直立片にそれぞれ設けられ、
前記中央直立片の直立部と前記一対の外側直立片の直立部の下部には、前記芯線を前記中央直立片の中央下部に隣接する前記芯線接続部まで案内する傾斜部が設けられ、
前記中央直立片の傾斜部の下部には、前記芯線接続部に該当する部分が芯線の外周面を取り囲む形状で接続されるように内側に凹曲面を有する凹部が設けられ、
前記凹部に対応する外側直立片の一側が前記凹部の方向に突出して前記芯線を凹部方向に後押しするために凸部が前記一対の外側直立片の傾斜部の下端部に設けられたことを特徴とする電線連結コネクタ用ターミナル。
【請求項２】
前記凸部が前記芯線に対する押圧が最高点に至るように前記芯線の中心線と同一線上に設けられたことを特徴とする請求項1に記載の電線連結コネクタ用ターミナル。
【請求項３】
前記一対の外側直立片の傾斜部と前記凹部の下部には、前記芯線との公差による芯線の浮きを防止するために、芯線との接続がない空間部が設けられたことを特徴とする請求項１に記載の電線連結コネクタ用ターミナル。
【請求項４】
前記それぞれのカット部は前記それぞれの直立部と４５度に傾斜したことを特徴とする請求項１に記載の電線連結コネクタ用ターミナル。
【手続補正２】
【補正対象書類名】明細書
【補正対象項目名】００１２
【補正方法】変更
【補正の内容】
【００１２】
前述の目的を達成するために、本発明に係る電線連結コネクタ用ターミナルは、上端部の両側に、外側に下方傾斜したカット部が設けられた中央直立片と、中央直立片の両側にそれぞれ一定間隔で離間して設けられ、上端部に中央直立片のカット部と対称に下方傾斜したカット部が設けられた一対の外側直立片と、中央直立片と一対の外側直立片の下段部を互いに連結する接続部と、を含み、互いに向かい合うカット部の間に形成された空間であると共に、電線が下方に進入する通路である電線進入部、及び電線進入部と連通されるようにその下部に位置され、被覆が切開された電線の内部の芯線が進入した後、中央直立片と外側直立片とに接続されるようにする空間であり、前記電線進入部の中央から前記中央直立片側に傾斜した下部に位置する芯線接続部をさらに含み、前記中央直立片のカット部と前記一対の外側直立片のカット部の下部には、互いに平行に立っており、前記電線の被覆が切開されると同時に、前記芯線が安定的に前記直立片の間から垂直進入できるように直立部が前記中央直立片と前記一対の外側直立片にそれぞれ設けられ、前記中央直立片の直立部と前記一対の外側直立片の直立部の下部には、前記芯線を前記中央直立片の中央下部に隣接する前記芯線接続部まで案内する傾斜部が設けられ、前記中央直立片の傾斜部の下部には、前記芯線接続部に該当する部分が芯線の外周面を取り囲む形状で接続されるように内側に凹曲面を有する凹部が設けられ、前記凹部に対応する外側直立片の一側が前記凹部の方向に突出して前記芯線を凹部方向に後押しするために凸部が前記一対の外側直立片の傾斜部の下端部に設けられたことを特徴とする。
【手続補正３】
【補正対象書類名】明細書
【補正対象項目名】００２２
【補正方法】変更
【補正の内容】
【００２２】
そして、電線進入部４０と連通されるようにその下部に位置され、被覆が切開された電線５の内部の芯線（または銅線と称する）７が進入した後、この芯線７が中央直立片１０と外側直立片２０とに接続されるようにする空間である芯線接続部５０が設けられている。前記芯線接続部５０は電線進入部４０の中央から中央直立片１０側に傾斜した下部に位置する。
【手続補正４】
【補正対象書類名】明細書
【補正対象項目名】００２５
【補正方法】変更
【補正の内容】
【００２５】
ここで、凹部１２には、芯線７の下段中央部である、所謂６時方向から３時方向まで円形状に凹設されて芯線７の外周面を取り囲み、３時方向を越える地点で上方に傾斜した傾斜部１３が設けられている（図３のＢ部分参照）。傾斜部１３は、芯線7を中央直立片１０の中央下部に隣接する 芯線接続部５０まで案内するものである。
【手続補正５】
【補正対象書類名】明細書
【補正対象項目名】００４０
【補正方法】変更
【補正の内容】
【００４０】
図４及び５を参照すると、コネクタ２００は本体２０１と、ターミナル１００と、ターミナル１００上に載置された電線５、６を押圧しながら、本体２０１の上方を覆い被せる一対のカバー２０３を含んでいる。ブリッジ２０４は本体２０１とカバー２０３とを互いに連結して本体２０１とカバー２０３が一体型構造になるようにし、連結した後には切り取って除去することができる。図５は一対のカバー２０３に挿入された電線５、６が互いに反対側でターミナル１００に締結される過程を詳細に示している。これによって、２本の電線５、６を剥離せず、その芯線７が電気的に互いに接続することができる。